(57)【要約】【課題】二つ以上存在する無線通信路の突然の切断への対策を施した無線を使用する通信システム及び通信装置などを提供する。【解決手段】通信システム１０は、通信装置１１と、通信装置１１と無線により近距離で接続されるとともに、ネットワーク網を介して相手側通信装置１５と無線により接続され、通信装置１１と相手側通信装置１５との通信の中継を行う中継装置１２とから構成され、通信装置１１と中継装置１２が接続された無線通信路、および中継装置１２と相手側通信装置１５が接続された無線通信路の切断を検知するローカル通信部１１１、１２１、およびネットワーク通信部１２３を備え、通信装置１１は、切断が検知された無線通信路が上記複数の無線通信路のいずれであるかをユーザに通知する通知部１１３を備える。【選択図】        図１
2004180257.tif 000002
【特許請求の範囲】
【請求項１】
第１通信装置と、前記第１通信装置と無線により近距離で接続されるとともに、ネットワーク網を介して第２通信装置と無線により接続され、前記第１通信装置と前記第２通信装置との通信の中継を行う中継装置とから構成される通信システムであって、
前記第１通信装置と前記中継装置が接続された無線通信路、および前記中継装置と前記第２通信装置が接続された無線通信路の切断を検知する切断検知手段を備え、
前記第１通信装置は、前記切断検知手段が切断を検知した無線通信路が前記複数の無線通信路のいずれであるかをユーザに通知する通知手段を備える
ことを特徴とする通信システム。
【請求項２】
前記第１通信装置は、ハンズフリー装置であり、
前記中継装置は携帯電話機である
ことを特徴とする請求項１に記載の通信システム。
【請求項３】
前記通知手段は、前記切断検知手段が切断を検知した無線通信路が前記複数の無線通信路のいずれであるかを表示してユーザに通知する表示部を備える
ことを特徴とする請求項１記載の通信システム。
【請求項４】
前記第１通信装置は、切断された前記第１通信装置と前記中継装置との無線通信路を復旧するために必要な復旧情報、および切断された前記中継装置と前記第２通信装置との無線通信路を復旧するために必要な復旧情報の少なくとも一方を記憶している記憶手段を備え、
前記通信システムは、前記第１通信装置と前記中継装置との無線通信路あるいは、前記中継装置と前記第２通信装置との無線通信路が切断されたとき、前記記憶手段に記憶された復旧情報のうち、切断された無線通信路に対応する復旧情報に基づいて、切断された無線通信路の再接続を行う復旧手段を備える
ことを特徴とする請求項１に記載の通信システム。
【請求項５】
前記記憶手段は、前記復旧情報として、前記中継装置を特定する中継装置特定情報および前記第２通信装置を特定する通信装置特定情報を記憶しており、
前記復旧手段は、前記第１通信装置と前記中継装置との無線通信路が切断されたとき、前記中継装置特定情報に基づいて無線通信路を再接続し、前記中継装置と前記第２通信装置との無線通信路が切断されたとき、前記通信装置特定情報に基づいて無線通信路を再接続する
ことを特徴とする請求項４に記載の通信システム。
【請求項６】
前記第１通信装置はさらに、
ユーザによる入力を受け付ける入力手段と、
切断された前記第１通信装置と前記中継装置との無線通信路を復旧するために必要な復旧情報、および切断された前記中継装置と前記第２通信装置との無線通信路を復旧するために必要な復旧情報の少なくとも一方を記憶している記憶手段を備え、
前記通信システムはさらに、
前記切断された無線通信路の復旧方法をユーザに通知する復旧方法通知手段と、
前記復旧方法に従った前記入力手段からのユーザによる復旧を選択することを示す入力を受けると、前記記憶手段に記憶された復旧情報のうち、切断された無線通信路に対応する復旧情報に基づいて、切断された無線通信路の再接続を行う再接続手段とを備える
ことを特徴とする請求項１に記載の通信システム。
【請求項７】
前記復旧方法通知手段は、前記切断された無線通信路の復旧方法として、前記切断された無線通信路の復旧を選択するためにユーザが行うべき操作を表示してユーザに通知する
ことを特徴とする請求項６記載の通信システム。
【請求項８】
前記通知手段は、前記無線通信路の切断箇所を表示して通知する表示部を備え、
前記復旧方法通知手段は、前記ユーザが行うべき操作を前記表示部に表示してユーザに通知する
ことを特徴とする請求項７記載の通信システム。
【請求項９】
前記表示部は、タッチパネルディスプレイであり、
前記入力手段は、前記タッチパネルディスプレイの画面上への前記ユーザによる接触操作を検知して入力を受け付ける
ことを特徴とする請求項８に記載の通信システム。
【請求項１０】
前記第１通信装置はさらに、ユーザによる入力を受け付ける入力手段を備え、
前記通信システムはさらに、
前記無線通信路の切断に対する複数の対処方法をユーザに通知する対処方法通知手段と、
前記複数の対処方法の中から、前記入力手段からのユーザによる入力に基づいて選択された対処方法を行う対処手段と
を備えることを特徴とする請求項１に記載の通信システム。
【請求項１１】
前記対処方法通知手段は、前記複数の対処方法の一つとして、前記切断された無線通信路を再接続する再接続方法を通知する
ことを特徴とする請求項１０記載の通信システム。
【請求項１２】
前記対処方法通知手段は、前記複数の対処方法の中からそれぞれの対処方法を選択するためにユーザが行うべき操作を表示してユーザに通知する
ことを特徴とする請求項１１に記載の通信システム。
【請求項１３】
前記通知手段は、前記無線通信路の切断箇所を表示して通知する表示部を備え、
前記対処方法通知手段は、前記ユーザが行うべき操作を前記表示部に表示してユーザに通知する
ことを特徴とする請求項１２記載の通信システム。
【請求項１４】
前記表示部は、タッチパネルディスプレイであり、
前記入力手段は、前記タッチパネルディスプレイの画面上への前記ユーザによる接触操作を検知して入力を受け付ける
ことを特徴とする請求項１３に記載の通信システム。
【請求項１５】
前記中継装置は、通信機能を有しており、
前記第１通信装置はさらに、
ユーザによる入力を受け付ける入力手段と、
切断された前記第１通信装置と前記中継装置との無線通信路を復旧するために必要な復旧情報として、前記中継装置を特定する中継装置特定情報を記憶している特定情報記憶手段とを備え、
前記通信システムはさらに、
前記第１通信装置と中継装置との無線通信路が切断されたとき、前記切断された無線通信路を再接続する再接続方法と、前記中継装置を介して前記第１通信装置と前記第２通信装置とで通信していた状態から、前記第１通信装置と関係なく、前記中継装置と前記第２通信装置とで通信する状態に切り替える切り替え方法を含む無線通信路の切断に対する複数の対処方法をユーザに通知する対処方法通知手段と、
前記入力手段からのユーザによる入力により、前記再接続方法が選択されたときは、前記特定情報記憶手段に記憶された中継装置特定情報に基づいて、前記切断された無線通信路の再接続を行う再接続手段と、
前記入力手段からのユーザによる入力により、前記切り替え方法が選択されたときは、前記第１通信装置と関係なく、前記中継装置と前記第２通信装置とで通信するように切り替える切り替え手段を備える
ことを特徴とする請求項１に記載の通信システム。
【請求項１６】
前記対処方法通知手段は、前記第１通信装置と中継装置との無線通信路が切断されたとき、前記再接続方法、あるいは前記切り替え方法を選択するためにユーザが行うべき操作を表示してユーザに通知する
ことを特徴とする請求項１５に記載の通信システム。
【請求項１７】
前記通知手段は、前記無線通信路の切断箇所を表示して通知する表示部を備え、
前記対処方法通知手段は、前記ユーザが行うべき操作を前記表示部に表示してユーザに通知する
ことを特徴とする請求項１６記載の通信システム。
【請求項１８】
前記第１通信装置はハンズフリー装置であり、
前記中継装置は携帯電話機である
ことを特徴とする請求項１７に記載の通信システム。
【請求項１９】
第１通信装置と、前記第１通信装置と無線により近距離で接続されるとともに、ネットワーク網を介して第２通信装置と無線により接続され、前記第１通信装置と前記第２通信装置との通信の中継を行う中継装置とから構成される通信システムにおける通信装置であって、
前記通信システムは、前記第１通信装置と前記中継装置が接続された無線通信路、および前記中継装置と前記第２通信装置が接続された無線通信路の切断を検知する切断検知手段を備え、
前記第１通信装置は、前記切断検知手段が切断を検知した無線通信路が前記複数の無線通信路のいずれであるかをユーザに通知する通知手段を備える
ことを特徴とする通信装置。
【請求項２０】
前記第１通信装置は、ハンズフリー装置であり、
前記中継装置は携帯電話機である
ことを特徴とする請求項１９に記載の通信装置。
【請求項２１】
前記通知手段は、前記切断検知手段が切断を検知した無線通信路が前記複数の無線通信路のいずれであるかを表示してユーザに通知する表示部を備える
ことを特徴とする請求項１９に記載の通信装置。
【請求項２２】
前記第１通信装置は、切断された前記第１通信装置と前記中継装置との無線通信路を復旧するために必要な復旧情報、および切断された前記中継装置と前記第２通信装置との無線通信路を復旧するために必要な復旧情報の少なくとも一方を記憶している記憶手段を備え、
前記通信システムは、前記第１通信装置と前記中継装置との無線通信路あるいは、前記中継装置と前記第２通信装置との無線通信路が切断されたとき、前記記憶手段に記憶された復旧情報のうち、切断された無線通信路に対応する復旧情報に基づいて、切断された無線通信路の再接続を行う復旧手段を備える
ことを特徴とする請求項１９に記載の通信装置。
【請求項２３】
前記第１通信装置はさらに、
ユーザによる入力を受け付ける入力手段と、
切断された前記第１通信装置と前記中継装置との無線通信路を復旧するために必要な復旧情報、および切断された前記中継装置と前記第２通信装置との無線通信路を復旧するために必要な復旧情報の少なくとも一方を記憶している記憶手段とを備え、
前記通信システムはさらに、
前記切断された無線通信路の復旧方法をユーザに通知する復旧方法通知手段と、
前記復旧方法に従った前記入力手段からのユーザによる所定の入力を受けると、前記記憶手段に記憶された復旧情報のうち、切断された無線通信路に対応する復旧情報に基づいて、切断された無線通信路の再接続を行う再接続手段とを備える
ことを特徴とする請求項１９に記載の通信装置。
【請求項２４】
第１通信装置と、前記第１通信装置と無線により近距離で接続されるとともに、ネットワーク網を介して第２通信装置と無線により接続され、前記第１通信装置と前記第２通信装置との通信の中継を行う中継装置とから構成される通信システムにおける中継装置であって、
前記通信システムは、前記第１通信装置と前記中継装置が接続された無線通信路、および前記中継装置と前記第２通信装置が接続された無線通信路の切断を検知する切断検知手段を備え、
前記第１通信装置は、前記切断検知手段が切断を検知した無線通信路が前記複数の無線通信路のいずれであるかをユーザに通知する通知手段を備える
ことを特徴とする中継装置。
【請求項２５】
前記第１通信装置は、ハンズフリー装置であり、
前記中継装置は携帯電話機である
ことを特徴とする請求項２４に記載の中継装置。
【請求項２６】
第１通信装置と、前記第１通信装置と無線により近距離で接続されるとともにネットワーク網を介して第２通信装置と無線により接続され、前記第１通信装置と前記第２通信装置との通信の中継を行う中継装置とから構成される通信システムにおける通知方法であって、
前記第１通信装置と前記中継装置が接続された無線通信路、および前記中継装置と前記第２通信装置が接続された無線通信路の切断を検知する切断検知ステップと、
前記切断検知ステップにおいて切断を検知した無線通信路が前記複数の無線通信路のいずれであるかをユーザに通知する通知ステップとを
含むことを特徴とする通知方法。
【請求項２７】
前記第１通信装置は、ハンズフリー装置であり、
前記中継装置は携帯電話機である
ことを特徴とする請求項２６に記載の通知方法。
【請求項２８】
前記通知ステップでは、前記切断検知ステップにおいて切断の検知された無線通信路が前記複数の無線通信路のいずれであるかを表示してユーザに通知する
ことを特徴とする請求項２６に記載の通知方法。
【請求項２９】
前記第１通信装置は、切断された前記第１通信装置と前記中継装置との無線通信路を復旧するために必要な復旧情報、および切断された前記中継装置と前記第２通信装置との無線通信路を復旧するために必要な復旧情報の少なくとも一方を記憶している記憶手段を備え、
前記通知方法は、前記第１通信装置と前記中継装置との無線通信路あるいは、前記中継装置と前記第２通信装置との無線通信路が切断されたとき、前記記憶手段に記憶された復旧情報のうち、切断された無線通信路に対応する復旧情報に基づいて、切断された無線通信路の再接続を行う復旧ステップを含む
ことを特徴とする請求項２６に記載の通知方法。
【請求項３０】
前記第１通信装置はさらに、
ユーザによる入力を受け付ける入力手段と、
切断された前記第１通信装置と前記中継装置との無線通信路を復旧するために必要な復旧情報、および切断された前記中継装置と前記第２通信装置との無線通信路を復旧するために必要な復旧情報の少なくとも一方を記憶している記憶手段を備え、
前記通知方法はさらに、
前記切断された無線通信路の復旧方法をユーザに通知する復旧方法通知ステップと、
前記復旧方法に従った前記入力手段からのユーザによる所定の入力を受けると、前記記憶手段に記憶された復旧情報のうち、切断された無線通信路に対応する復旧情報に基づいて、切断された無線通信路の再接続を行う再接続ステップとを含む
ことを特徴とする請求項２６に記載の通知方法。
【請求項３１】
第１通信装置と、前記第１通信装置と無線により近距離で接続されるとともに、ネットワーク網を介して第２通信装置と無線により接続され、前記第１通信装置と前記第２通信装置との通信の中継を行う中継装置とから構成される通信システムにおける前記第１通信装置による通知方法を行うためのプログラムであって、
前記第１通信装置と前記中継装置が接続された無線通信路、および前記中継装置と前記第２通信装置が接続された無線通信路の切断を検知する切断検知ステップと、前記切断検知ステップにおいて切断を検知した無線通信路が前記複数の無線通信路のいずれであるかをユーザに通知する通知ステップのうち
前記第１通信装置が行うステップをコンピュータに実行させる
ことを特徴とするプログラム。
【発明の詳細な説明】
【０００１】
【発明の属する技術分野】
本発明は、通信装置と相手側通信装置が中継装置を経由して通信できる通信システムに関し、特に二つ以上混在する無線通信路のいずれかで切断が起こった際、ユーザに通知する対策を設け、切断された無線通信路を最適に復旧する通信システムに関するものである。
【０００２】
【従来の技術】
従来、無線によって接続されている通信装置同士で通信を行う通信システムにおいて、突然に回線が切断した場合に自動的に回線を回復させるという技術がある（例えば、特許文献１参照）。
【０００３】
以下、従来例について、図面を用いて説明を行う。
図９は、従来の通信システムの構成を示すブロック図である。図９において、通信システム９０は、通信装置９１、無線基地局１４、電話網１３及び相手側通信装置１５等から構成される。
【０００４】
通信装置９１は、表示部１９１、入力部１９２、中央制御部１９３、ネットワーク通信部１９４、番号記憶部１９５等から構成され、マイク１９６、スピーカ１９７を介して音声信号の入出力を行う。さらに、通信装置９１は、無線基地局１４及び電話網１３を介して相手側通信装置１５に接続されている。なお、相手側通信装置１５の内部の構成は、上記通信装置９１と同様であり、マイク１５１及びスピーカ１５２を介して音声信号の入出力を行う。
【０００５】
次に、上記のように構成される従来の通信システム９０の動作について説明を行う。
図１０は、上記図９に示される通信システム９０の通話開始から、回線切断の発生及び復旧に至るまでの通信シーケンス図である。
【０００６】
まず、通信装置９１と相手側通信装置１５との間で通話が開始されるまでの動作について説明を行う。通常、通話が開始されるまでの通信シーケンスは、図１０に示されるように、ユーザから通信装置９１の入力部１９２（図９参照）を介して相手側通信装置１５の加入者番号がダイヤルされると、無線基地局１４に発呼要求が送信され、電話網１３を経由して、相手側通信装置１５に着呼する。これにより、相手側通信装置１５は、通信装置９１からの着呼を検出すると、電話網１３を経由して、無線基地局１４に着呼受付を示す信号を出力し、通信装置９１に接続完了の通知がなされる。以上のシーケンスを経た後、通話が開始されることとなる。
【０００７】
もし、通話途中において、通信装置９１が無線基地局１４の無線エリアの圏外へ移動することなどが原因で回線に障害が起こり、相手側通信装置１５との回線切断が検知されると、通信装置９１は、番号記憶部１９５に記憶しておいた相手側通信装置１５の加入者番号を自動的に呼出して再発呼することで通信回線の切断に対処する。通信回線の回復中、通信装置９１の表示部１９１は、回線障害回復中であることを表示して、ユーザに通知する。
【０００８】
また、他の技術として、複数の加入者端末からアクセス系装置を介して交換機に接続された通信システムにおいて、アクセス系装置が故障に遭遇し初期設定されて通信パスが全て切断された場合に、交換機に記憶されたデータを基に複数の加入者端末から交換機までの通信パスを故障前の状態に復旧させる技術もある（例えば、特許文献２参照）。
【０００９】
【特許文献１】
特開昭６１−２１６６６号公報（全文）
【００１０】
【特許文献２】
特開平１０−２２９４０２号公報（全文）
【００１１】
【発明が解決しようとする課題】
しかしながら、上述した特許文献１に記載の構成では、通信システム９０（図９参照）は、一つの無線通信路のみを対象とした通信システムである。この通信システムが中継装置を経由して多段に連結される場合、即ち通信装置と相手側通信装置が複数の無線通信路を経由して接続される場合において、回線切断が生じると、以下のような問題が発生する。
【００１２】
回線切断を検知したユーザは、通信路を復帰させる操作を試みるが、二つ以上の無線網が存在するため、切断が起こった箇所をなかなか特定することができず、少しでも早く通信路を復帰させようとして誤った操作をしてしまう。つまり、通信路の種類に応じた複数パターンの復帰操作を行おうとして慌ててしまい、誤った操作をしてしまう。特に、通信装置が車の中に搭載されたハンズフリー装置の場合が問題となる。即ち、通信装置がハンズフリー装置で中継装置が携帯電話の場合の無線ハンズフリーシステムにおいては、ハンズフリー装置と携帯電話がＢｌｕｅｔｏｏｔｈなどのローカル通信路で接続され、携帯電話が電話網の無線基地局と接続された状態で通話が行われる。しかし、突然どちらかの無線通信路の切断が発生すると、運転中のドライバは通信路を復帰させようとして操作を始めるが、切断が起こった箇所を特定できず、通信路の種類に応じた複数パターンの復帰操作を行おうとして慌ててしまい、運転に対する注意は散漫となり、安全運転に支障をきたす可能性がある。
【００１３】
また、上述した特許文献２に記載の技術も多段に接続された無線通信路における各通信路の切断に対する対処を行うものではなく、通信路の切断があった場合、二つ以上の通信路が存在するため、切断が起こった箇所を特定することができず、少しでも早く通信路を復帰させようとして誤った操作をしてしまうという上述と同様の問題が発生する。
【００１４】
そこで、本発明は、上記課題に鑑みてなされたものであり、二つ以上存在する無線通信路の突然の切断への対策を施した無線を使用する通信システム及び通信装置などを提供することを目的とする。
【００１５】
【課題を解決するための手段】
上記目的を達成するために、本発明は、第１通信装置と、前記第１通信装置と無線により近距離で接続されるとともに、ネットワーク網を介して第２通信装置と無線により接続され、前記第１通信装置と前記第２通信装置との通信の中継を行う中継装置とから構成される通信システムであって、前記第１通信装置と前記中継装置が接続された無線通信路、および前記中継装置と前記第２通信装置が接続された無線通信路の切断を検知する切断検知手段を備え、前記第１通信装置は、前記切断検知手段が切断を検知した無線通信路が前記複数の無線通信路のいずれであるかをユーザに通知する通知手段を備えることを特徴とする。
【００１６】
これにより、第１通信装置と第２通信装置の通信が切断されたとき、第１通信装置と第２通信装置との間に複数存在する無線通信路のいずれが切断したかがユーザに通知されるため、ユーザは切断された通信路を復帰させたい場合に、迷うことなく切断された通信路に応じた適切な復旧操作を行うことが可能となる。
【００１７】
特に、第１通信装置がハンズフリー装置であり、中継装置が携帯電話である無線ハンズフリーシステムにおいて、ユーザは無線通信路の復旧のために、慌てて操作する必要がないため運転に集中できる。
【００１８】
また、前記第１通信装置は、切断された前記第１通信装置と前記中継装置との無線通信路を復旧するために必要な復旧情報、および切断された前記中継装置と前記第２通信装置との無線通信路を復旧するために必要な復旧情報の少なくとも一方を記憶している記憶手段を備え、前記通信システムは、前記第１通信装置と前記中継装置との無線通信路あるいは、前記中継装置と前記第２通信装置との無線通信路が切断されたとき、前記記憶手段に記憶された復旧情報のうち、切断された無線通信路に対応する復旧情報に基づいて、切断された無線通信路の再接続を行う復旧手段を備えるようにしてもよい。
【００１９】
これにより、切断された無線通信路が自動的に復旧されるので、ユーザは慌てて復旧のための操作をする必要がなくなる。
また、前記第１通信装置はさらに、ユーザによる入力を受け付ける入力手段と、切断された前記第１通信装置と前記中継装置との無線通信路を復旧するために必要な復旧情報、および切断された前記中継装置と前記第２通信装置との無線通信路を復旧するために必要な復旧情報の少なくとも一方を記憶している記憶手段を備え、前記通信システムはさらに、前記切断された無線通信路の復旧方法をユーザに通知する復旧方法通知手段と、前記復旧方法に従った前記入力手段からのユーザによる復旧を選択することを示す入力を受けると、前記記憶手段に記憶された復旧情報のうち、切断された無線通信路に対応する復旧情報に基づいて、切断された無線通信路の再接続を行う再接続手段とを備えるようにしてもよい。
【００２０】
これにより、無線通信路の切断時に、ユーザは自分の意思で切断された無線通信路の復旧を選択することができ、復旧を選択することで切断した無線通信路の復旧が可能となる。
【００２１】
また、前記復旧方法通知手段は、前記切断された無線通信路の復旧方法として、前記切断された無線通信路の復旧を選択するためにユーザが行うべき操作を表示してユーザに通知するようにしてもよい。
【００２２】
これにより、ユーザは表示された操作を行うことで、簡単に切断された無線通信路の復旧ができる。
また、前記通知手段は、前記無線通信路の切断箇所を表示して通知する表示部を備え、前記復旧方法通知手段は、前記ユーザが行うべき操作を前記表示部に表示してユーザに通知するようにしてもよい。
【００２３】
これにより、同一の表示部に無線通信路の切断箇所と、切断した無線通信路の復旧方法が表示されるため、切断原因の特定とその復旧が容易にできる。
また、前記表示部は、タッチパネルディスプレイであり、前記入力手段は、前記タッチパネルディスプレイの画面上への前記ユーザによる接触操作を検知して入力を受け付けるようにしてもよい。
【００２４】
これにより、ユーザは切断した無線通信路の復旧操作を簡単にできる。
また、前記第１通信装置はさらに、ユーザによる入力を受け付ける入力手段を備え、前記通信システムはさらに、前記無線通信路の切断に対する複数の対処方法をユーザに通知する対処方法通知手段と、前記複数の対処方法の中から、前記入力手段からのユーザによる入力に基づいて選択された対処方法を行う対処手段とを備えるようにしてもよい。
【００２５】
これにより、ユーザは無線通信路の切断に対する複数の対処方法の中から、所望の対処方法を選択することができ、選択した対処方法が行われる。
また、前記中継装置は、通信機能を有しており、前記第１通信装置はさらに、ユーザによる入力を受け付ける入力手段と、切断された前記第１通信装置と前記中継装置との無線通信路を復旧するために必要な復旧情報として、前記中継装置を特定する中継装置特定情報を記憶している特定情報記憶手段とを備え、前記通信システムはさらに、前記第１通信装置と中継装置との無線通信路が切断されたとき、前記切断された無線通信路を再接続する再接続方法と、前記中継装置を介して前記第１通信装置と前記第２通信装置とで通信していた状態から、前記第１通信装置と関係なく、前記中継装置と前記第２通信装置とで通信する状態に切り替える切り替え方法を含む無線通信路の切断に対する複数の対処方法をユーザに通知する対処方法通知手段と、前記入力手段からのユーザによる入力により、前記再接続方法が選択されたときは、前記特定情報記憶手段に記憶された中継装置特定情報に基づいて、前記切断された無線通信路の再接続を行う再接続手段と、前記入力手段からのユーザによる入力により、前記切り替え方法が選択されたときは、前記第１通信装置と関係なく、前記中継装置と前記第２通信装置とで通信するように切り替える切り替え手段を備えるようにしてもよい。
【００２６】
これにより、第１通信装置と中継装置との無線通信路が切断した場合、ユーザの選択により、切断した無線通信路の再接続か、第１通信装置と関係のない中継装置による通信に切り替えるかのいずれかがなされる。
【００２７】
この中継装置による通信がなされるには、次の利点がある。すなわち、第１通信装置と中継装置との間の無線通信路が電波干渉などにより通信状態が悪く復旧不可能な場合でも、中継装置と第２通信装置との間の無線通信路は通信状態が保持されており、中継装置による第２通信装置との通話が可能である。
【００２８】
また、本発明は、第１通信装置と、前記第１通信装置と無線により近距離で接続されるとともに、ネットワーク網を介して第２通信装置と無線により接続され、前記第１通信装置と前記第２通信装置との通信の中継を行う中継装置とから構成される通信システムにおける通信装置であって、前記通信システムは、前記第１通信装置と前記中継装置が接続された無線通信路、および前記中継装置と前記第２通信装置が接続された無線通信路の切断を検知する切断検知手段を備え、前記第１通信装置は、前記切断検知手段が切断を検知した無線通信路が前記複数の無線通信路のいずれであるかをユーザに通知する通知手段を備えることを特徴とする通信装置としてもよい。
【００２９】
この通信装置によれば、上記と同様の効果を有する。
また、本発明は、第１通信装置と、前記第１通信装置と無線により近距離で接続されるとともに、ネットワーク網を介して第２通信装置と無線により接続され、前記第１通信装置と前記第２通信装置との通信の中継を行う中継装置とから構成される通信システムにおける中継装置であって、前記通信システムは、前記第１通信装置と前記中継装置が接続された無線通信路、および前記中継装置と前記第２通信装置が接続された無線通信路の切断を検知する切断検知手段を備え、
前記第１通信装置は、前記切断検知手段が切断を検知した無線通信路が前記複数の無線通信路のいずれであるかをユーザに通知する通知手段を備えることを特徴とする中継装置としてもよい。
【００３０】
この中継装置によれば、上記と同様の効果を有する。
また、本発明は、第１通信装置と、前記第１通信装置と無線により近距離で接続されるとともにネットワーク網を介して第２通信装置と無線により接続され、前記第１通信装置と前記第２通信装置との通信の中継を行う中継装置とから構成される通信システムにおける通知方法であって、前記第１通信装置と前記中継装置が接続された無線通信路、および前記中継装置と前記第２通信装置が接続された無線通信路の切断を検知する切断検知ステップと、前記切断検知ステップにおいて切断を検知した無線通信路が前記複数の無線通信路のいずれであるかをユーザに通知する通知ステップとを含むことを特徴とする通知方法としてもよい。
【００３１】
この通知方法によれば、上記と同様の効果を有する。
また、本発明は、第１通信装置と、前記第１通信装置と無線により近距離で接続されるとともに、ネットワーク網を介して第２通信装置と無線により接続され、前記第１通信装置と前記第２通信装置との通信の中継を行う中継装置とから構成される通信システムにおける前記第１通信装置による通知方法を行うためのプログラムであって、前記第１通信装置と前記中継装置が接続された無線通信路、および前記中継装置と前記第２通信装置が接続された無線通信路の切断を検知する切断検知ステップと、前記切断検知ステップにおいて切断を検知した無線通信路が前記複数の無線通信路のいずれであるかをユーザに通知する通知ステップのうち前記第１通信装置が行うステップをコンピュータに実行させることを特徴とするプログラムとしてもよい。
このプログラムによれば、上記と同様の効果を有する。
【００３２】
【発明の実施の形態】
以下、本発明に係る実施の形態について、図面を参照しながら説明する。
図１は、本実施の形態における通信システム１０の構成図である。図１において、通信システム１０は、通信装置１１、中継装置１２、無線基地局１４、電話網１３及び相手側通信装置１５から構成される。図１において、図９と同じものには同じ符号を付している。
【００３３】
通信装置１１（第１通信装置）は、ローカル通信部１１１、中央制御部１１２、通知部１１３、入力部１１４、記憶部１１５などから構成され、マイク１１６、スピーカ１１７を介して音声信号の入出力を行う。中継装置１２は、ローカル通信部１２１、中央制御部１２２、ネットワーク通信部１２３等から構成され、マイク１２４、スピーカ１２５を介して音声信号の入出力を行う。
【００３４】
さらに、通信装置１１は、中継装置１２、無線基地局１４及び電話網１３を介して相手側通信装置１５（第２通信装置）に接続されている。なお、相手側通信装置１５は、通信装置１１と同じ構成であり、マイク１５１、スピーカ１５２を介して音声信号の入出力を行う。
【００３５】
図２は、図１に示される通信システムの実現形態の一例であり、車内における無線ハンズフリーシステム２０の構成を示す。
無線ハンズフリーシステム２０は、液晶部２４およびボタン部２５を有するハンズフリー装置２１と、マイク２２と、スピーカ２３と、携帯電話（携帯電話機）２６と、携帯電話基地局２７などから構成される。
【００３６】
なお、図２におけるハンズフリー装置２１が図１の通信装置１１に対応し、同じく携帯電話２６が中継装置１２に対応し、図２における携帯電話２６と接続される携帯電話基地局２７が図１における無線基地局１４にそれぞれ対応する。
【００３７】
図１における通信装置１１において、入力部１１４は、図２におけるボタン部２５に対応し、ユーザによる発呼要求などの入力を受け付ける。
また、ローカル通信部１１１は、入力部１１４からの発呼要求を、中央制御部１１２を介して受け、中継装置１２におけるローカル通信部１２１と通信を行う。これにより、通信装置１１と中継装置１２の通信が行われる。
【００３８】
通知部１１３は、図２における液晶部２４に対応し、通信装置１１、中継装置１２、および相手側通信装置１５間の通信路の接続状況などを通信装置１１のユーザに通知する。
【００３９】
記憶部１１５には、上記通信路のうち切断された通信路を復旧するために必要な情報、例えば中継装置１２を特定する情報や相手側通信装置１５を特定する情報が記憶されている。
【００４０】
中央制御部１１２は、通信装置１１の各部等からの信号をうけて、後述する所定の制御を行う。
また、図１におけるマイク１１６は、図２におけるマイク２２に対応し、図１におけるスピーカ１１７が図２におけるスピーカ２３に対応する。
【００４１】
一方、中継装置１２においてローカル通信部１２１は、上述したように通信装置１１におけるローカル通信部１１１と通信する。また、ネットワーク通信部１２３は、無線基地局１４と通信する。これにより、中継装置１２と相手側通信装置１５の通信が行われる。中央制御部１２２は、ローカル通信部１２１、ネットワーク通信部１２３およびマイク１２４等の各部からの信号をうけて後述する所定の制御を行う。
【００４２】
以下では、上記のように構成された本実施の形態に係る通信システムの動作について、図面を参照しながら説明する。
まず、通信装置１１、中継装置１２、および相手側通信装置１５の通常通信時における各部の動作を説明する。
【００４３】
図３は、通信装置１１、中継装置１２、および相手側通信装置１５の通常通信時、および通信装置１１と中継装置１２間の無線通信路切断時における各部の動作を示す通信シーケンスである。
【００４４】
通信装置１１と中継装置１２の間が、あらかじめローカル通信部１１１とローカル通信部１２１間における無線通信路（以下、「ローカル通信路」という。）で接続されている状態では、通信装置１１の中央制御部１１２は、入力部１１４から相手側通信装置１５への発呼要求を示す信号を受け付ける（ステップS101）。
【００４５】
そして、ローカル通信部１１１とローカル通信部１２１によるローカル通信路を介して中継装置１２の中央制御部１２２に発呼要求を示す信号が伝達される（ステップS102)。この信号を受けて、中継装置１２の中央制御部１２２は、相手側通信装置１５に対して発呼要求を行う。
【００４６】
すなわち、中継装置１２のネットワーク通信部１２３は、電話網１３の無線基地局１４との間で無線通信路（以下、「ネットワーク通信路」という。）を確立させ、無線基地局１４に発呼要求を示す信号を送信し、電話網１３を経由して、相手側通信装置１５に着呼する（ステップS103)。相手側通信装置１５は着呼を検出すると、電話網１３を経由して、無線基地局１４に着呼を受け付けたことを示す信号を送信し、中継装置１２の中央制御部１２２にその信号が伝達される（ステップS104）。さらに、中継装置１２の中央制御部１２２から、通信装置１１の中央制御部１１２に、通信装置１１と相手側通信装置１５の接続完了を示す信号が伝達される（ステップS105)。
【００４７】
このようにして、通信装置１１と相手側通信装置１５との通話が可能となる（図３におけるデータ転送）。なお、相手側通信装置１５から中継装置１２を介して通信装置１１に発呼要求が行なわれた場合も、上記と同様にネットワーク通信路及びローカル通信路が形成され、相手側通信装置１５と通信装置１１間での通話が可能となる。
【００４８】
このとき、中央制御部１１２は、通信装置１１と中継装置１２の間のローカル通信路が確立されている状態と、中継装置１２と無線基地局１４間のネットワーク通信路が確立されている状態をユーザに通知するよう制御する信号を通知部１１３に出力する（ステップS106)。
【００４９】
以上の通信シーケンスにより、通話状態となった通信システムでは、音声信号の送受信が可能となり、マイク１１６から入力された通信装置１１側の音声信号は、ローカル通信部１１１を介して中継装置１２に送信される。中継装置１２では、この音声信号をローカル通信部１２１で受信し、ネットワーク通信部１２３によって無線基地局１４に送信する。相手側通信装置１５は、電話網１３からこの音声信号を受信し、スピーカ１５２から音声を出力する。
【００５０】
一方、相手側通信装置１５のマイク１５１から入力された音声が電話網１３に送信されると、中継装置１２は、無線基地局１４からこの音声信号をネットワーク通信部１２３によって受信し、ローカル通信部１２１によって通信装置１１に送信する。通信装置１１は、この音声信号をローカル通信部１１１で受信し、スピーカ１１７から音声を出力する。
【００５１】
以上で説明した内容は、通信障害の発生していない通常通信時のシーケンスに対応している。
ここで、上述した通常の通話時の動作を、車内における無線ハンズフリーシステム２０を含む通信システム１０において動作させた場合について、図１、図２及び図５を用いて説明する。
【００５２】
ハンズフリー装置２１（通信装置１１に対応する）と相手側通信装置１５間での発呼および着呼の動作により通話状態となった無線ハンズフリーシステム２０において、ハンズフリー装置２１は、Ｂｌｕｅｔｏｏｔｈなどの無線通信規格に従ったローカル通信路で携帯電話２６（中継装置１２に対応する）に接続される。
【００５３】
また、携帯電話２６と携帯電話基地局２７は、ＰＤＣ方式など携帯電話の規格に従ったネットワーク通信路で接続されて音声信号の送受信を行う。
このとき、液晶部２４の一部または全体には、ハンズフリー装置２１と携帯電話２６の間のローカル通信路が確立されている状態と、携帯電話２６と携帯電話基地局２７の間のネットワーク通信路が確立されている状態が表示され、ユーザに通知される。
【００５４】
図５は、ハンズフリー装置２１と携帯電話２６の間の通信接続状態と、携帯電話２６と携帯電話基地局２７の間の通信接続状態を示す図である。
図５に示されるように、携帯電話２６とハンズフリー装置２１の間が通信接続状態にあり、携帯電話２６と携帯電話基地局２７の間が通信接続状態にあることが液晶部２４に表示されている。
【００５５】
携帯電話基地局２７と携帯電話２６間のネットワーク通信路を介して受信した相手側通信装置１５からの音声信号は、携帯電話２６からローカル通信路によりハンズフリー装置２１に送信され、スピーカ２３において音声に変換される。
【００５６】
一方、ハンズフリー装置２１のマイク２２から入力された音声信号は、ローカル通信路を介して携帯電話２６に送信され、携帯電話２６からネットワーク通信路を介して携帯電話基地局２７に送信され、さらに、相手側通信装置１５に送信される。
【００５７】
次に、通信装置１１と中継装置１２の間のローカル通信路において通信路の切断が発生し、自動的に復旧が行なわれるまでの各部の動作にについて、図３のシーケンス図を用いて説明する。
【００５８】
図３に示されるように、通信装置１１からの発呼要求による通話状態において、その音声信号の送受信中にローカル通信路において通信路が突然切断すると、通信装置１１のローカル通信部１１１、および中継装置１２のローカル通信部１２１が上記切断を検出し、通信装置１１の中央制御部１１２、および中継装置１２の中央制御部１２２にそれぞれ通信路の切断を示す信号を出力する（ステップS110,ステップS111）。
【００５９】
このとき、中央制御部１１２は、通知部１１３に対して、通信装置１１と中継装置１２間のローカル通信路で切断が発生したことをユーザに通知するよう制御する制御信号を出力する（ステップS112）。（図３における「切断箇所通知」に相当）。通知部１１３は、その制御信号をうけて上記ローカル通信路の切断をユーザに通知する。
【００６０】
次に、通信装置１１の中央制御部１１２は、記憶部１１５に、切断したローカル通信路を復旧するために必要な情報を問い合わせる（ステップS113）。そして、中央制御部１１２は、記憶部１１５からローカル通信路の復旧情報、すなわち中継装置１２を特定する中継装置特定情報を取得して（ステップS114）、その復旧情報を基にローカル通信路を接続する接続要求を示す信号を出力し、中継装置１２の中央制御部１２２に通知する（ステップS115)。
【００６１】
中継装置１２の中央制御部１２２は、ローカル通信路を接続する接続要求の通知を受け付けたことを示す信号を、通信装置１１の中央制御部１１２に出力し、ローカル通信路の接続が完了する（ステップS116）。
【００６２】
このようにして、ローカル通信路が自動で復旧する。復旧後、通信装置１１は、相手側通信装置１５と再び通信を開始する。
上述した通知部１１３が行うローカル通信路の切断箇所通知について説明する。例えば、図２の無線ハンズフリーシステム２０では、ローカル通信路が切断されたことを液晶部２４の一部または全体に、図６（ａ）に示されるように表示することで、ユーザに対して通知する。
【００６３】
図６（ａ)は、ローカル通信路、およびネットワーク通信路の通信接続状態を示す図である。
図６（ａ）に示されるように、携帯電話２６とハンズフリー装置２１の通信接続が切断された状態と、携帯電話２６と携帯電話基地局２７が通信接続された状態が液晶部２４に表示されている。
【００６４】
このように切断箇所が表示されるとともに、ハンズフリー装置２１（図１の通信装置１１に対応）が記憶部１１５（図１参照）に記憶している情報を用いて自動的にローカル通信路を復旧するので、ユーザは慌ててボタン部２５に対して操作する必要がなく、運転に集中できる。
【００６５】
なお、この場合に、ハンズフリー装置２１の記憶部１１５に記憶する情報は、ローカル通信路を復旧するために携帯電話２６を識別（特定）する情報であり、携帯電話２６（図１の中継装置１２に対応）のローカル通信部１２１（図１参照）がＢｌｕｅｔｏｏｔｈモジュールで実現される場合は、"Ｂｌｕｅｔｏｏｔｈ Ｄｅｖｉｃｅ Ａｄｄｒｅｓｓ（ＢＤ＿ＡＤＤＲ）"とすれば良い。
【００６６】
次に、通信装置１１と中継装置１２の間のローカル通信路で突然通信が切断してしまい、ローカル通信路を復旧するか否かをユーザに問い合わせる場合について、図３を用いて説明する。
【００６７】
ローカル通信路が切断された場合、その切断は通信装置１１のローカル通信部１１１において検出され、中央制御部１１２に切断を示す信号が出力される（ステップS110）。
【００６８】
このとき、中央制御部１１２は、通信装置１１と中継装置１２の間のローカル通信路で切断が発生したことをユーザ通知するよう制御し、さらに切断に対する複数の対処方法をユーザに通知するよう制御する制御信号を通知部１１３に対して出力する（ステップS135）。
【００６９】
この複数の対処方法とは、ローカル通信路を復旧する復旧方法、および中継装置１２で通信装置１１の処理が代替可能であれば、通信装置１１を用いずに中継装置１２を用いて相手側通信装置１５と通信するように切り替える切り替え方法である。
【００７０】
その通知例を次に示す。
図７（ａ)は、通信システムが図２に示す無線ハンズフリーシステム２０である場合における液晶部２４の表示を示した図である。
【００７１】
図７（ａ）において、液晶部２４（通知部１１３に対応する）の一部または全体に、携帯電話２６（中継装置１２に対応する）とハンズフリー装置２１（通信装置１１に対応する）とのローカル通信路が切断された状態が表示されるとともに、切断に対する対処方法として、ローカル通信路を復旧する復旧方法（再接続方法）と、ハンズフリー装置２１を用いた通信から携帯電話２６を用いた通信に切り替える切り替え方法とが表示されている。
【００７２】
このローカル通信路を復旧する復旧方法は、図２に示すハンズフリー装置２１のボタン部２５における再接続ボタンを押すことで、ローカル通信路の復旧が選択されることを示している。また、携帯電話２６を用いた通信に切り替える切り替え方法は、ボタン部２５における切替ボタンを押すことで、ハンズフリー装置２１から携帯電話２６に切り替えて、ハンズフリー装置２１を用いない通話が選択されることを示している。
【００７３】
そして、このように通知部１１３が通知した上記対処方法に対して、ユーザが入力部１１４を介してローカル通信路を復旧する旨を示す入力を行った場合（ステップS117、図３の復旧要求に相当）、中央制御部１１２は、上述した自動復旧時と同様に、記憶部１１５より、切断したローカル通信路を復旧するために必要な復旧情報を入手し、入手した情報に基づいてローカル通信路を復旧する。
【００７４】
すなわち、図７（ａ）に示す液晶部２４を見たユーザから、ボタン部２５（図２参照）のローカル通信路を復旧させることを示すボタン（例えば、再接続ボタン）の選択操作を受け付けた場合である。
【００７５】
図８は、ボタン部２５の構造を示す図である。上記再接続ボタンはボタン部２５の左上に位置している。
一方、ユーザにより入力部１１４から、通信対象を通信装置１１から中継装置１２に切り替えることを示す入力がなされた場合には、中央制御部１１２は、通信装置１１の動作を終了する。これにより、比較的近距離に存在する中継装置１２を用いて相手側通信装置１５との通信を継続することが可能となる。
【００７６】
すなわち、図７（ａ）を用いて説明すると、ユーザからボタン部２５（図２参照）から、通信対象をハンズフリー装置２１から携帯電話２６に切り替えることを示す入力（例えば、切替ボタンを選択）を受け付けた場合、ハンズフリー装置２１は動作を終了する。
【００７７】
これにより、ユーザは、比較的近距離に存在する携帯電話２６を用いて通信を継続することができる。
以上のように、ユーザは、ローカル通信路の切断によって通信不能になったことを液晶部２４に表示される内容から即座に知ることができる。さらに、通信不能となった通信路の切断時に、次の操作方法が指示されるので、あわてることなく簡単な入力操作で、復旧か切替かの次の動作に移ることができる。
【００７８】
以上で説明したローカル通信路の切断箇所と次の操作方法が液晶部２４に通知されない場合、ユーザは、通信路の切断箇所が携帯電話２６と携帯電話基地局２７間のネットワーク通信路の切断であると勘違いし、慌ててリダイヤルしたり、ボタン部２５に対して発呼処理のための操作をするなど、誤動作を行う恐れがあるが、本実施の形態に係る無線ハンズフリーシステム２０を用いると、このような誤動作を防止することができる。
【００７９】
ここで、通信対象をハンズフリー装置２１（通信装置１１に対応する）から中継装置１２（携帯電話２６に対応する）に切り替える対処方法を設定する理由は、次に示すとおりである。すなわち、ハンズフリー装置２１（通信装置１１に対応する）と携帯電話２６（中継装置１２に対応する）間のローカル通信路が通信路として悪い条件（例えば、他の無線との電波干渉がある。）などが原因で復旧不可能な場合でも、携帯電話２６（中継装置１２に対応する）と携帯電話基地局２７（無線基地局１４に対応する）の間のネットワーク通信路は図３に示すように通信状態が保持されている。そのため、携帯電話２６による相手側通信装置１５との通話が可能である。しかし、この通信状態の悪い条件下でハンズフリー装置２１と携帯電話２６との間のローカル通信路の復旧動作を継続すると、ユーザが気付かずに携帯電話２６と相手側通信装置１５との間の通話状態が継続した状況となる。
【００８０】
このとき、図２（詳細は図８）に示すボタン部２５の再接続ボタンあるいは切替ボタンによる入力操作によりローカル通信路を復旧させるか、通信対象をハンズフリー装置２１から携帯電話２６に切り替えるかを選択するようにしたが、ボタンの操作でなく、タッチパネルに接触することによる接触操作で上記選択を行うようにしてもよい。例えば、図７（ａ）に示す液晶部２４がタッチパネルであり、その液晶画面に再接続と表示される接触部２４Ａに、ユーザが接触することでローカル通信路の復旧が選択され、液晶画面に切替と表示される接触部２４Ｂにユーザが接触することでハンズフリー装置２１から携帯電話２６への通信対象の切り替えが選択される。
【００８１】
次に、通話時に、中継装置１２と無線基地局１４の間のネットワーク通信路において突然通信の切断が発生した場合の各部の動作について説明する。
図４は、通信装置１１、中継装置１２、および相手側通信装置１５の通常通信時、および中継装置１２と無線基地局１４の間のネットワーク通信路における通信切断時の各部の動作を示すシーケンス図である。
【００８２】
図４において、図３と同じものには同じ符号を付しその説明を省略する。
図４において通信装置１１、中継装置１２、および無線基地局１４の通常の通信接続については図３で説明したものと同じため、その説明を省略する。
【００８３】
ネットワーク通信路の切断は、中継装置１２のネットワーク通信部１２３において検出され、中央制御部１２２に通知される（ステップS120）。また、ネットワーク通信路の切断は、相手側通信装置１５に通知される（ステップS121）。
【００８４】
次に、中央制御部１２２は、通信路の切断を通知する信号をローカル通信部１２１から通信装置１１に送信する。通信装置１１では、この信号は、ローカル通信部１１１で受信され、中央制御部１１２に通知される（ステップS122）。このとき、中央制御部１１２は、通知部１１３に対して、中継装置１２と無線基地局１４間のネットワーク通信路で切断が発生したことをユーザに通知するように制御する制御信号を出力する（ステップS123)。通知部１１３はこの制御信号を受けて、ネットワーク通信路で切断が発生したことをユーザに通知する。
【００８５】
同時に、中央制御部１１２は、記憶部１１５に対して、切断したネットワーク通信路を復旧するために必要な復旧情報を問い合わせ（ステップS125)、復旧情報を取得する（ステップS126)。そして、取得した復旧情報に基づいて、ネットワーク通信路の復旧を行う。
【００８６】
このとき、通信装置１１がハンズフリー装置２１（図２参照）である場合、相手側通信装置１５を識別する情報である加入者番号を記憶部１１５から取得して、リダイヤルを行い、ネットワーク通信路の自動復旧を行う。これにより、ユーザは、慌ててボタン部２５に対して操作する必要がなく運転に集中できる。
【００８７】
このリダイヤルにより行われる発呼要求、着呼、着呼受付、接続完了の処理（ステップS127,S128,S129,S130）は、上述した通常通信時の処理における発呼要求、着呼、着呼受付、接続完了の処理（ステップS102,S103,S104,S105）と同様である。
【００８８】
ここで、通知部１１３が行う通知について説明する。
例えば、図２の無線ハンズフリーシステム２０では、ネットワーク通信路が切断されたことが液晶部２４の一部または全体に、図６（ｂ）に示すように表示することで、ユーザに通知する。
【００８９】
図６（ｂ）は、ローカル通信路、およびネットワーク通信路の通信接続状態を示す図である。
図６（ｂ）に示されるように、携帯電話２６とハンズフリー装置２１が通信接続された状態と、携帯電話２６と携帯電話基地局２７の通信が切断された状態が液晶部２４に表示されている。
【００９０】
次に、通話時に、中継装置１２と無線基地局１４の間のネットワーク通信路で突然通信が切断し、ネットワーク通信路を復旧するか否かをユーザに問い合わせる場合について説明する。図４に示されるように、ネットワーク通信路における通信路の切断は、中継装置１２のネットワーク通信部１２３において検出され、中央制御部１２２に通知される（ステップS120)。次に、中央制御部１２２は、通信路の切断を通知する信号をローカル通信部１２１から通信装置１１に送信する。通信装置１１は、この信号をローカル通信部１１１で受信し、中央制御部１１２に出力する（ステップS122)。ここまでは、自動復旧の場合と同様である。
【００９１】
このとき、中央制御部１１２は、中継装置１２と無線基地局１４間のネットワーク通信路で切断が発生したことをユーザに通知するよう制御し、さらに切断に対する複数の対処方法をユーザに通知するよう制御する制御信号を通知部１１３に対して出力する（ステップS140）。この複数の対処方法とは、ネットワーク通信路の復旧を示す復旧方法（再接続方法）と、ネットワーク通信路を復旧せず通信装置１１と相手側通信装置１５の間の通話を終了することを示す方法である。
【００９２】
通知部１１３は、その信号を受けてネットワーク通信路の切断と、上記２つの対処方法をユーザに通知する。このとき、ユーザはこの２つの対処方法から、いずれかの対処方法を選択するよう指示される。
【００９３】
ここで、ユーザから入力部１１４を介してネットワーク通信路を復旧することを示す入力を受け付けると（ステップS124）（図４における入力部１１４から中央制御部１１２への点線で示した「復旧要求」に相当）、中央制御部１１２は、記憶部１１５に、切断したネットワーク通信路を復旧するために必要な復旧情報を問い合わせ（ステップS125）、復旧情報を取得する（ステップS126）。そして、その取得した情報に基づいて、上述したようにネットワーク通信路の復旧が行われる。この復旧は、上述した自動復旧の場合と同様である。
【００９４】
一方、ユーザから入力部１１４を介して、通話を終了することを示す入力を受け付けると、中央制御部１１２はネットワーク通信路を復旧させず、通話を終了する。
【００９５】
ここで、通知部１１３が行う通知例を示す。
例えば、図２に示される無線ハンズフリーシステムの場合を例にとると、通知例として図７（ｂ）に示されるようになる。
【００９６】
図７（ｂ）は、ネットワーク通信路が切断されたときの液晶部２４に表示される表示例を示す図である。
図７（ｂ）に示されるように、携帯電話２６とハンズフリー装置２１が接続された状態と、携帯電話２６と携帯電話基地局２７の通信が切断された状態が、ハンズフリー装置２１の液晶部２４の一部または全体に表示されている。さらに液晶部２４には、切断に対する対処方法として、ネットワーク通信路を復旧する復旧方法と、ハンズフリー装置２１と相手側通信装置１５の通話を終了する方法とが表示されている。
【００９７】
このネットワーク通信路を復旧する復旧方法は、図２に示すハンズフリー装置２１のボタン部２５におけるリダイヤルボタンを押すことでネットワーク通信路の復旧がなされることが選択されることを示している。また、通話を終了する方法は、ボタン部２５におけるキャンセルボタンを押すことで、ハンズフリー装置２１と相手側通信装置１５とによる通話の終了が選択されることを示している。
【００９８】
ここでユーザからボタン部２５を介して、ネットワーク通信路を復旧することを示すボタン（例えば、上記リダイヤルボタン）が選択され操作された場合、ハンズフリー装置２１（通信装置１１に対応する）の中央制御部１１２は、記憶部１１５に記憶されている復旧情報（通信装置特定情報である相手側通信装置１５の加入者番号）を読み出して、切断されたネットワーク通信路の復旧（リダイヤル）を行う。また、ユーザからボタン部２５を介して、通話を終了することを示すボタン（例えば、上記キャンセルボタン）が選択された場合、中央制御部１１２は、リダイヤルせずに通話を終了する。
【００９９】
以上のように、ユーザは、ネットワーク通信路の切断によって通信不能になったことを液晶部２４に表示される内容から即座に知ることができる。さらに、通信不能となった通信路の切断時に、次の操作方法が指示されるので、あわてることなく簡単な入力操作で、復旧か通話終了かの次の動作に移ることができる。
【０１００】
尚、図２（詳細は図８）に示すボタン部２５のリダイヤルボタンあるいはキャンセルボタンによる入力操作によりネットワーク通信路を復旧させるか、通話を終了させるかを選択するようにしたが、ボタンの操作でなく、タッチパネルに接触することによる接触操作で上記選択を行うようにしてもよい。例えば、図７（ｂ）に示す液晶部２４がタッチパネルであり、その液晶画面にリダイヤルと表示される接触部２４Ｃに、ユーザが接触操作することでネットワーク通信路の復旧が選択され、液晶画面にキャンセルと表示される接触部２４Ｄにユーザが接触操作することでハンズフリー装置２１と相手側通信装置１５の通話の終了が選択される。
【０１０１】
なお、図３、図４においては、通信装置１１が発呼要求を出す場合を示したが相手側通信装置１５から発呼要求がなされ、通信装置１１がそれを受信する（着呼を受け付ける）場合でも、同様に実施することができることは言うまでもない。
【０１０２】
なお、上記実施の形態では、中継装置１２の具体例として、ＰＤＣ方式の規格に従う携帯電話としたが、ＰＤＣ方式に限らず、ＩＭＴ−２０００、ＧＳＭ、Ｄ−ＡＭＰＳ、ＩＳ−９５など他の携帯電話規格に従う場合でも同様に実施することができるとともに、携帯電話に限らず、携帯電話機能を持ったＰＤＡ（Personal Digital Assistants）などの電子機器でも同様に実施することができる。
【０１０３】
また、中継装置１２がVoIP(Voice over IP)対応の携帯電話であり、無線基地局１４（携帯電話基地局２７）が無線LANアクセスポイントであり、その間の通信が無線LAN（例えば、IEEE802.11b、IEEE802.11a）の通信方式に従う場合でも同様に実施できる。
【０１０４】
また、通信装置１１のローカル通信部１１１と中継装置１２のローカル通信部１２１間は、Ｂｌｕｅｔｏｏｔｈを用いたローカル通信路としたが、Ｂｌｕｅｔｏｏｔｈに限らず、比較的近距離で無線通信可能な方式、例えば、ＩＥＥＥ８０２．１１ａ、ＩＥＥＥ８０２．１１ｂや、ＵＷＢ（Ｕｌｔｒａ Ｗｉｄｅ Ｂａｎｄ）又は赤外線を使った通信であってもよく、使用する周波数帯域やその変復調方式に依らず同様に実施することができる。
【０１０５】
さらに、通信装置１１と無線基地局１４の間に複数の中継装置１２を介して二つ以上の無線通信路が多段に接続される構成、通信装置１１に複数の中継装置が接続される構成でも通知部１１３に通知される内容と、記憶部１１５に記憶される情報量が増えるだけで変わらないため同様に実施することができる。
【０１０６】
さらにまた、通信装置１１における通知部１１３の実現形態の一例として、ハンズフリー装置２１と一体化した液晶部２４を示したが、音声出力による通知でもよく、また外部のディスプレイ、例えばナビゲーション装置のディスプレイなどに外部出力してもよい。
【０１０７】
なお、通信装置１１における入力部１１４の実現形態の一例としてハンズフリー装置２１と一体化したボタン部２５を示したが、音声による入力や、外部のボタン、例えば車のハンドル部など操作しやすい位置に設置したボタンで実現しても良い。また通知部１１３へユーザに入力を指示する通知をする場合にも、ボタンに限らず入力部１１４に入力する手段に従った通知を行えば良い。
【０１０８】
また本実施の形態では、相手側通信装置１５は通信装置１１と同じ構成であるとしたが、同じ構成とは限らず、携帯電話や固定電話であってもよい。
【０１０９】
【発明の効果】
以上の説明から明らかなように、本発明に係る通信システムによれば、第１通信装置と第２通信装置の通信が切断されたとき、第１通信装置と第２通信装置との間に複数存在する無線通信路のいずれが切断したかがユーザに通知されるため、ユーザは切断された通信路を復帰させたい場合に、迷うことなく切断された通信路に応じた適切な復旧操作を行うことが可能となる。
【０１１０】
特に、第１通信装置がハンズフリー装置であり、中継装置が携帯電話である無線ハンズフリーシステムにおいて、ユーザは無線通信路の復旧のために、慌てて操作する必要がないため運転に集中できる。
【図面の簡単な説明】
【図１】本発明の実施の形態に係る通信システムおよび通信装置の構成を示すブロック図である。
【図２】本発明の実施の形態に係る通信システムおよび通信装置の一例である無線ハンズフリーシステムを示す構成図である。
【図３】本発明の実施の形態に係る通信システムにおける通常通信時、および通知装置と中継装置との無線通信路切断時の各部の動作を示す通信シーケンス図である。
【図４】本発明の実施の形態に係る通信システムにおける通常通信時、および中継装置と無線基地局との無線通信路切断時の各部の動作を示す通信シーケンス図である。
【図５】本発明の実施の形態に係るハンズフリー装置と携帯電話との接続状態と、携帯電話と携帯電話基地局との接続状態を示す図である。
【図６】（ａ）（ｂ）はいずれも本発明の実施の形態に係る無線ハンズフリーシステムの液晶部の表示例を示す図である。
【図７】（ａ）（ｂ）はいずれも本発明の実施の形態に係る無線ハンズフリーシステムにおける液晶部の他の表示例を示す図である。
【図８】本発明の実施の形態に係る無線ハンズフリーシステムのボタン部の構造を示す図である。
【図９】従来の通信システムの構成を示すブロック図である。
【図１０】従来の通信システムの通話開始から回線切断の発生および復旧に至るまでの通信シーケンス図である。
【符号の説明】
１０    通信システム
１１    通信装置
１２    中継装置
１３    電話網
１４    無線基地局
１５    相手側通信装置
２１    ハンズフリー装置
２２    マイク
２３    スピーカ
２４    液晶部
２５    ボタン部
２６    携帯電話
１１１  ローカル通信部
１１２  中央制御部
１１３  通知部
１１４  入力部
１１５  記憶部
１１６  マイク
１１７  スピーカ
１２１  ローカル通信部
１２２  中央制御部
１２３  ネットワーク通信部
【図１】
2004180257.tif 000003
【図２】
2004180257.tif 000004
【図３】
2004180257.tif 000005
【図４】
2004180257.tif 000006
【図５】
2004180257.tif 000007
【図６】
2004180257.tif 000008
【図７】
2004180257.tif 000009
【図８】
2004180257.tif 000010
【図９】
2004180257.tif 000011
【図１０】
2004180257.tif 000012